(57)【特許請求の範囲】
【請求項１】
コイルスプリングの巻き端部の金属線材を固定刃物と可動刃物で挟んで切断することのできる電動式の線材切断装置において、
線材切断装置は電動油圧式の駆動機構が内蔵された装置本体（２）を備え、
装置本体（２）は対向する固定刃物取付部（３ｅ）と可動刃物取付部（４ｆ）を備え、
前記固定刃物取付部（３ｅ）に固定刃物（３）が取り付けられ、
前記可動刃物取付部（４ｆ）に可動刃物（４）と支持具（１０）が取り付けられ、可動刃物（４）と支持具（１０）は固定刃物（３）側に突出し、
固定刃物（３）と可動刃物（４）は互いの軸線をずらして斜向かいに対向配置され、
前記固定刃物（３）と可動刃物（４）の間にセット空間（５）が形成され、
セット空間（５）はコイルスプリングの巻き端部の金属線材（６）を出し入れできる開口部（５ａ）を備え、開口部（５ａ）は固定刃物（３）と可動刃物（４）の上方と、両刃物（３、４）の配列方向両側方の三方に開口しており、
支持具（１０）は固定刃物（３）と可動刃物（４）の配列方向であって、固定刃物（３）よりも外側であり且つ開口部（５ａ）からセット空間（５）に横向きにセットされる前記金属線材（６）の軸線方向先端部（６ｂ）を支持できる箇所に取り付けられており、
固定刃物（３）と可動刃物（４）は金属製の方形ブロック状であり、
固定刃物（３）の先端面（３ｂ）は正面視方形の垂直面であり、
可動刃物（４）の先端面（４ｃ）は正面視方形のテーパ面であり、テーパ面は開口部（５ａ）の上方開口側がその反対側よりも固定刃物（３）側に斜めに突出するテーパ面であり、テーパ面の傾斜角度は、可動刃物（４）により固定刃物（３）に押し付けられる金属線材（６）の逃げを阻止できる傾斜角である、
ことを特徴とするコイルスプリングの巻き端部の金属線材切断装置。
【請求項２】
コイルスプリングの巻き端部の金属線材を固定刃物と可動刃物で挟んで切断することのできる電動式の線材切断装置において、
線材切断装置は電動油圧式の駆動機構が内蔵された装置本体（２）を備え、
装置本体（２）は対向する固定刃物取付部（３ｅ）と可動刃物取付部（４ｆ）を備え、
前記固定刃物取付部（３ｅ）に固定刃物（３）が取り付けられ、
前記可動刃物取付部（４ｆ）に可動刃物（４）と支持具（１０）が取り付けられ、可動刃物（４）と支持具（１０）は固定刃物（３）側に突出し、
固定刃物（３）と可動刃物（４）は互いの軸線をずらして斜向かいに対向配置され、
前記固定刃物（３）と可動刃物（４）の間にセット空間（５）が形成され、
セット空間（５）はコイルスプリングの巻き端部の金属線材（６）を出し入れできる開口部（５ａ）を備え、開口部（５ａ）は固定刃物（３）と可動刃物（４）の上方と、両刃物（３、４）の配列方向両側方の三方に開口しており、
に出し入れできる開口部（５ａ）を備え、開口部（５ａ）は固定刃物（３）と可動刃物（４）の上方と、両刃物（３、４）の配列方向両側方の三方に開口しており、
支持具（１０）は固定刃物（３）と可動刃物（４）の配列方向であって、固定刃物（３）よりも外側であり且つ開口部（５ａ）からセット空間（５）に横向きにセットされる前記金属線材（６）の軸線方向先端部（６ｂ）を支持できる箇所に取り付けられており、
固定刃物（３）と可動刃物（４）は金属製の方形ブロック状であり、
可動刃物（４）の先端面（４ｃ）は正面視方形の垂直面であり、
固定刃物（３）の先端面（３ｂ）は正面視方形のテーパ面であり、テーパ面はセット空間（５）の開口部（５ａ）側がその反対側よりも可動刃物（４）側に斜めに突出するテーパ面であり、テーパ面の傾斜角度は、可動刃物（４）により固定刃物（３）に押し付けられる前記金属線材（６）の逃げを阻止できる傾斜角である、
ことを特徴とするコイルスプリングの巻き端部の金属線材切断装置。
【請求項３】
コイルスプリングの巻き端部の金属線材を固定刃物と可動刃物で挟んで切断することのできる電動式の線材切断装置において、
線材切断装置は電動油圧式の駆動機構が内蔵された装置本体（２）を備え、
装置本体（２）は対向する固定刃物取付部（３ｅ）と可動刃物取付部（４ｆ）を備え、
前記固定刃物取付部（３ｅ）に固定刃物（３）が取り付けられ、
前記可動刃物取付部（４ｆ）に可動刃物（４）と支持具（１０）が取り付けられ、可動刃物（４）と支持具（１０）は固定刃物（３）側に突出し、
固定刃物（３）と可動刃物（４）は互いの軸線をずらして斜向かいに対向配置され、
前記固定刃物（３）と可動刃物（４）の間にセット空間（５）が形成され、
セット空間（５）はコイルスプリングの巻き端部の金属線材（６）を出し入れできる開口部（５ａ）を備え、開口部（５ａ）は固定刃物（３）と可動刃物（４）の上方と、両刃物（３、４）の配列方向両側方の三方に開口しており、
出し入れできる開口部（５ａ）を備え、開口部（５ａ）は固定刃物（３）と可動刃物（４）の上方と、両刃物（３、４）の配列方向両側方の三方に開口しており、
支持具（１０）は固定刃物（３）と可動刃物（４）の配列方向であって、固定刃物（３）よりも外側であり且つ開口部（５ａ）からセット空間（５）に横向きにセットされる前記金属線材（６）の軸線方向先端部（６ｂ）を支持できる箇所に取り付けられており、
固定刃物（３）と可動刃物（４）は金属製の方形ブロック状であり、
両刃物（３、４）の先端面（３ｂ、４ｃ）は正面視方形のテーパ面であり、夫々のテーパ面はセット空間（５）の開口部（５ａ）側がその反対側よりも互いの先端面（３ｂ、４ｃ）側に斜めに突出するテーパ面であり、両テーパ面の傾斜角度は、可動刃物（４）により固定刃物（３）に押し付けられる金属線材（６）の逃げを阻止できる傾斜角である、
ことを特徴とするコイルスプリングの巻き端部の金属線材切断装置。
【請求項４】
請求項１から請求項３のいずれか１項に記載のコイルスプリングの巻き端部の金属線材切断装置において、
セット空間（５）は、固定刃物（３）と可動刃物（４）の上方にコイルスプリングを斜めにセットすると、コイルスプリングの巻き端部（６ａ）を出し入れ可能な広さの空間である、
ことを特徴とするコイルスプリングの巻き端部の金属線材切断装置。
【発明の詳細な説明】
【技術分野】
【０００１】
本発明は、金属線材（コイル状に巻かれたものや螺子が切られたもの等、加工された線材も含む。明細書及び特許請求の範囲において同じ。）の切断に用いられるコイルスプリングの巻き端部の金属線材切断装置に関するものである。
【背景技術】
【０００２】
金属線材の切断に用いる切断装置として、ロッドの先端に取り付けられた可動刃物を固定刃物側に移動させて、固定刃物と摺動させることによって金属線材を切断する装置（特許文献１、２）が知られている。
【先行技術文献】
【特許文献】
【０００３】
【特許文献１】特開２００４−６６４２９号公報
【特許文献２】実開平６−６６９１４号公報
【発明の概要】
【発明が解決しようとする課題】
【０００４】
図４（ａ）（ｂ）に示すように、従来の切断装置Ａは、固定刃物Ｂと可動刃物Ｃの双方の先端面Ｄが垂直であったため、可動刃物ＣでコイルスプリングＳの直線状の巻き始端部又は巻き終端部（以下「巻き端部」という）Ｅを押して固定刃物Ｂとの間に挟んで切断しようとすると、押されるコイルスプリングＳが図４（ａ）（ｂ）の上向き矢印方向に浮き上がり、コイルスプリングＳの巻き端部Ｅがセット空間Ｆ（図４（ｂ））から飛び出してうまく切断できないことがあった。図４（ａ）のＧは巻き端部を支持する支持具である。
【０００５】
本発明の解決課題は、金属線材がセット空間から飛び出すのを防止して、金属線材の所望位置を確実に切断することのできる金属線材切断装置を提供することにある。
【課題を解決するための手段】
【０００６】
［線材切断刃物］
本発明における線材切断刃物は、切断装置に取り付けられて金属線材を切断する切断刃物であって、当該切断刃物は切断装置に取り付ける装着部と切断時に金属線材に当接する先端面を備え、先端面は装着部よりも先方に設けられ、先端面は正面視角形であり、先方側に突出する一辺（以下、「突出辺」という。特許請求の範囲において同じ。）から対向辺に向けて斜めになるテーパ面であり、先端面の傾斜角を押し当たる金属線材の逃げを阻止できる傾斜角としたものである。
【０００７】
［線材切断装置］
本発明の線材切断装置は、コイルスプリングの巻き端部の金属線材を切断する線材切断装置であり、固定刃物と、可動刃物と、可動刃物を前進、後退移動させる駆動機構を備え、駆動機構により可動刃物を固定刃物側に押し出してコイルスプリングの巻端部の金属線材を固定刃物に押し付けて、両刃物間のセット空間にセットされている前記金属線材を両刃物により切断することができる線材切断装置において、前記セット空間が前記金属線材を出し入れできる開口部を備えており、前記可動刃物が前記線材切断刃物であり、前記可動刃物はその先端面が固定刃物の先端面側を向き、その突出辺が前記セット空間の開口部側になるように前記駆動機構に取り付けられ、前記可動刃物が駆動機構により固定刃物側に押し出されて当該金属線材が固定刃物に押し付けられると、可動刃物の突出辺側が金属線材の上方に被さり、前記開口部側に逃げるのが阻止されるものである。
【０００８】
前記線材切断装置において、固定刃物の先端面は垂直面とすることができる。
【０００９】
本発明の線材切断装置は、コイルスプリングの巻き端部の金属線材を切断する線材切断装置であり、固定刃物と、可動刃物と、可動刃物を前進、後退移動させる駆動機構を備え、駆動機構により可動刃物を固定刃物側に押し出して、前記金属線材を固定刃物に押し付けて、両刃物間のセット空間にセットされている金属線材を両刃物により切断することができる線材切断装置において、前記セット空間が前記金属線材を出し入れできる開口部を備えており、前記固定刃物が前記線材切断刃物であり、前記固定刃物はその先端面が可動刃物の先端面側を向き、その突出辺が前記セット空間の開口部側になるように本体に取り付けられ、前記可動刃物が駆動機構により固定刃物側に押し出されて当該金属線材が固定刃物に押し付けられると、固定刃物の突出辺側が金属線材の上方に被さり、前記開口部側に逃げるのが阻止されるものである。
【００１０】
前記線材切断装置において、可動刃物の先端面は垂直面とすることができる。
【００１１】
本発明の線材切断装置は、コイルスプリングの巻き端部の金属線材を切断する線材切断装置であり、固定刃物と、可動刃物と、可動刃物を前進、後退移動させる駆動機構を備え、駆動機構により可動刃物を固定刃物側に押し出して金属線材を固定刃物に押し付けて、両刃物間のセット空間にセットされている前記金属線材を両刃物により切断することができる線材切断装置において、前記セット空間が前記金属線材を出し入れできる開口部を備えており、前記可動刃物と固定刃物の双方が前記線材切断刃物であり、前記可動刃物はその先端面が固定刃物の先端面側を向き、その突出辺が前記セット空間の開口部側になるように前記駆動機構に取り付けられ、前記固定刃物はその先端面が可動刃物の先端面側を向き、その突出辺が前記セット空間の開口部側になるように本体に取り付けられ、前記可動刃物が駆動機構により固定刃物側に押し出されて当該金属線材が固定刃物に押し付けられると、可動刃物の突出辺側及び固定刃物の突出辺側が金属線材の上方に被さり、前記開口部側に逃げるのが阻止されるようにしたものである。
【発明の効果】
【００１２】
本発明の金属線材切断装置は、固定刃物と可動刃物のうち少なくとも一方の刃物の先端面がテーパ面であるため、可動刃物で押されて両刃物間に挟まれた金属線材の浮き上がり（逃げ）が阻止されて金属線材が位置ずれせず、所定の切断箇所を確実に切断することができる。
【図面の簡単な説明】
【００１３】
【図１】本発明の金属線材切断装置の一例を示す斜視図。
【図２】図１に示す金属線材切断装置の固定刃物と可動刃物の位置関係を示す平面図。
【図３】固定刃物と可動刃物の一例を示すもので、（ａ）は固定刃物の先端面を垂直面とし、可動刃物の先端面をテーパ面とした場合の側面図、（ｂ）は固定刃物の先端面をテーパ面とし、可動刃物の先端面を垂直面とした場合の側面図。
【図４】従来の線材切断装置の説明図であって、（ａ）は従来の線材切断装置でコイルスプリングを切断する場合の斜視図、（ｂ）は従来の線材切断装置でコイルスプリングを切断する場合の側面図。
【発明を実施するための形態】
【００１４】
（実施形態）
［金属線材切断装置］
本発明における金属線材切断装置１及び線材切断刃物の一例を、図面を参照して説明する。一例として図１に示す金属線材切断装置１は、装置本体２の先端部に設けられた固定刃物３と可動刃物４の間のセット空間５に、コイルスプリングの金属線材６の直線状の巻き端部６ａ（図２）をセットし、可動刃物４を固定刃物３側に押し出して固定刃物３と摺接させることによって金属線材６を切断するものである。この場合、巻き端部６ａの先端部６ｂ（図２）は支持具１０により支持される（図２）。金属線材切断装置１としては、固定刃物３と可動刃物４を備えた各種切断装置を用いることができ、例えば、株式会社オグラの電動油圧式鉄筋切断機を用いることができる。この金属線材切断装置１は固定刃物３と可動刃物４と支持具１０を、本体２に備えている。可動刃物４と支持具１０は固定刃物３側に突出している。支持具１０は可動刃物４の側方であって、セット空間５を挟んで向かい側にある固定刃物３よりも外側に設けられている。線材切断装置１の可動刃物４は装置本体２に内蔵されたピストン機構やその他の方式の駆動機構（図示しない）によって前進或いは後退（往復移動）するようにしてある。可動刃物４は、装置本体２に設けられたスイッチＳＷの操作によって前進或いは後退する。装置本体２からは電源コード７が引き出されて商用電源を取り込めるようにしてある。
【００１５】
前記金属線材切断装置１に設けられた固定刃物３と可動刃物４はそれらの軸線を図２に示すように左右にずらして配置されて、可動刃物４を固定刃物３側に前進スライドさせると両刃物の近接する側面（以下「近接側面３ａ、４ａ」という）が摺接し、この摺接により、前記セット空間５にセットされた金属線材６が切断（押切り）されるようにしてある。図２、図３（ａ）（ｂ）のように、セット空間５は固定刃物３と可動刃物４及び支持具１０と装置本体２の先端側底面２ａの間にあり、セット空間５は当該先端側底面２ａと反対側（図３（ａ）（ｂ）の上方）に開口部５ａがあり、可動刃物４と支持具１０の配列方向両側方（図２の左右方向）も開口している。
【００１６】
この実施形態の線材切断刃物は固定刃物３と可動刃物４である。固定刃物３も可動刃物４も角型のブロック状であり、切断刃物は金属線材切断装置１に取り付ける装着部４ｂと切断時に金属線材６の巻き端部６に当接する先端面４ｃを備え、先端面４ｃは装着部４ｂよりも先方に設けられ、先端面４ｃは正面視角形であり、突出辺４ｄから対向辺４ｅに向けて斜めになるテーパ面であり、その先端面４ｃの傾斜角を押し当たる金属線材６の逃げを阻止できる傾斜角としたものである。固定刃物３の先端面３ｂは垂直面である。このように、可動刃物４の先端面４ｃをテーパ面とすることにより、可動刃物４を固定刃物３側に前進スライドさせる（図３（ａ）の矢印方向にスライドさせる）と、可動刃物４の先端面４ｃの突出辺４ｄ側が金属線材６の直線状の巻き端部６ａの上に被さって、巻き端部６ａが前記セット空間５から浮き上がりにくく（逃げにくく）なるようにしてある。また、図２のように、コイルスプリングの金属線材６の巻き端部の先端部６ｂが前記支持具１０で支持される。
【００１７】
前記実施形態では、可動刃物４の先端面４ｃをテーパ面としてあるが、本発明の金属線材切断装置１は、図３（ｂ）に示すように、固定刃物３の先端面３ｂをその一辺（突出辺）３ｃから対向辺３ｄに向けて斜めになるテーパ面とし、その傾斜角を押し当たる金属線材６の逃げを阻止できる傾斜角とすることもできる。この場合、可動刃物４を前進スライドさせる（図３（ｂ）の矢印方向にスライドさせる）と、固定刃物３の先端面３ｂの突出辺３ｃ側が金属線材６の巻き端部６ａの上方に被さり、巻き端部６ａが固定刃物３と可動刃物４の間のセット空間５から抜けるのを防止することができる。
【００１８】
図示は省略しているが、可動刃物４の先端面４ｃを図３（ａ）に示すようなテーパ面とするとともに、固定刃物３の先端面３ｂを図３（ｂ）に示すようなテーパ面とすることもできる。この場合、可動刃物４を前進スライドさせると、可動刃物４の突出辺４ｄ側と固定刃３の突出辺３ｃ側の双方が金属線材６の巻き端部６ａの上方に被さり、巻き端部６ａが固定刃物３と可動刃物４の間のセット空間５から抜けるのを防止することができる。
【００１９】
（使用例）
本発明の金属線材切断装置１は例えば次のように使用する。この使用例は図１及び図３（ａ）に示す線材切断装置１を用いて金属線材（コイルスプリング）６の直線状の巻き端部６ａを切断する場合の例である。
（１）図３（ａ）のように、装置本体２の先端側にコイルスプリング６をのせて斜めに傾けることにより、図２のように、コイルスプリング６の切断する巻き端部６ａを、線材切断装置１の先端側の開口部５ａからセット空間５に横向きにセットする。この場合、巻き端部６ａがセット空間５の両側方に突出する。
（２）本体２のスイッチＳＷを操作して可動刃物４を固定刃物３側に前進スライドさせる。
（３）可動刃物４が前進スライドするとその先端面４ｃがコイルスプリング６の巻き端部６ａに押し当たり、さらに、可動刃物４を前進スライドさせることで、可動刃物４の近接側面４ａが固定刃物３の近接側面３ａに摺接して巻き端部６ａが切断される。このとき、可動刃物４の突出辺４ｄが巻き端部６ａの上方に被さり、巻き端部６ａが固定刃物３と可動刃物４の間から抜けるのが防止される。また、巻き端部６ａが可動刃物４で押されても、軸線方向先端部６ｂが支持具１０で支持されて、傾いたり、位置ずれしたりし難くなり、安定する。
【産業上の利用可能性】
【００２０】
本発明の金属線材切断装置１は、無垢の線材のほか、パイプ、螺子棒といった各種金属線材や樹脂製線材の切断などにも利用することができる。本発明の線材切断刃物は実施形態に示す線材切断装置以外の切断装置に利用することもできる。
【符号の説明】
【００２１】
１    金属線材切断装置
２    装置本体
２ａ （本体の）先端側底面
３    固定刃物
３ａ  （固定刃物の）近接側面
３ｂ  （固定刃物の）先端面
３ｃ  （固定刃物の）突出辺
３ｄ  （固定刃物の）対向辺
３ｅ 固定刃物取付部
４    可動刃物
４ａ  （可動刃物の）近接側面
４ｂ  （可動刃物の）装着部
４ｃ  （可動刃物の）先端面
４ｄ  （可動刃物の）突出辺
４ｅ  （可動刃物の）対向辺
４ｆ 可動刃物取付部
５    セット空間
５ａ  （セット空間の）開口部
６    金属線材（コイルスプリング）
６ａ  巻き端部
６ｂ （巻き端部の）軸線方向先端部
７    電源コード
１０ 支持具
Ａ    切断装置
Ｂ    固定刃物
Ｃ    可動刃物
Ｄ    先端面
Ｅ    巻き端部
Ｆ    セット空間
Ｓ    コイルスプリング
Ｇ 支持具
ＳＷ  スイッチ
【図１】
0006327971.tif 000002
【図２】
0006327971.tif 000003
【図３】
0006327971.tif 000004
【図４】
0006327971.tif 000005